(57)【特許請求の範囲】
【請求項１】
建具の幅方向に並ぶ第１及び第２パネル体と、該第１及び第２パネル体の間に設けられた透光部材とを備え、前後方向に光を透過させる建具の採光構造であって、
上記第１パネル体は、上記第２パネル体と対向する対向端面に上端から下端に亘る凹溝が形成され、
上記第２パネル体は、上記幅方向において上記第１パネル体に対向する一端に近づく程前後方向の中央に近づくように上記幅方向に対して傾斜した前面及び後面を有し、先端面が上記凹溝内に位置するように設けられた先端部分を有し、
上記透光部材は、上記凹溝内に収容され、該凹溝の底面と上記先端部分の先端面との間に挟み込まれる平板状の第１透光部分を有し、
上記第１透光部分の上記先端部分の先端面と当接しない露出面は、前後方向において上記対向端面に対して傾斜している
ことを特徴とする採光構造。
【請求項２】
請求項１に記載の採光構造において、
上記第１透光部分の露出面は、前後方向の端部に向かう程、上記第２パネル体から離れるように上記対向端面に対して傾斜している
ことを特徴とする採光構造。
【請求項３】
請求項１又は２に記載の採光構造において、
上記第１パネル体は、矩形状の芯材と、該芯材の外面を覆う複数の化粧材とを有し、
上記凹溝は、上記第１パネル体の前後の上記化粧材が、上記芯材の上記第２パネル体と対向する対向端面よりも上記第２パネル体側に突出するように上記芯材に固定されることによって形成されている
ことを特徴とする採光構造。
【請求項４】
請求項１〜３いずれか１つに記載の採光構造において、
上記透光部材は、上記第１及び第２パネル体に架け渡されて上記第１透光部分に交差する第２透光部分を有している
ことを特徴とする採光構造。
【請求項５】
請求項１〜４のいずれか１つに記載の採光構造において、
上記第２パネル体は、上記先端部分の他端に連続し、上記幅方向において上記先端部分の他端に連続する一端に近づく程前後方向の中央に近づくように上記幅方向に対して上記先端部分の前面及び後面よりも緩やかな傾斜角度で傾斜した前面及び後面を有する傾斜部分を有している
ことを特徴とする採光構造。
【請求項６】
請求項１〜５のいずれか１つに記載の採光構造を備えた建具。
【発明の詳細な説明】
【技術分野】
【０００１】
本発明は、建具の採光構造及び採光構造を備えた建具に関するものである。
【背景技術】
【０００２】
従来、扉等の建具の中には、建具で仕切られる一方側の空間から他方側の空間へ（例えば、室内から廊下等へ）光を透過させるために採光構造を備えるものがある（例えば、下記の特許文献１を参照）。
【０００３】
特許文献１の図２には、左右に間隔を空けて配置された２つのパネルの互いの対向面に凹溝を形成し、各凹溝に相似形状の透光部材を嵌め込むと共に、２つの透光部材の間に２つのパネルよりも薄い遮光パネルを架け渡すことによって開口を閉塞したドアが開示されている。このドアでは、２つのパネルの対向面において遮光パネルの前後で露出する透光部材を介してドアによって仕切られる２つの空間の一方側から他方側へ光が透過するように構成されている。上記ドアでは、このように２つのパネルの対向面において透光部材を露出させて採光を可能にする一方、開口を遮光パネルで閉塞することにより、ドアに対峙した人が開口を介してドアの反対側を視認することができないようにしている。
【先行技術文献】
【特許文献】
【０００４】
【特許文献１】特開２０２０−２３７９９号公報
【発明の概要】
【発明が解決しようとする課題】
【０００５】
しかしながら、上記ドアの採光構造では、２つの透光部材の露出面が開口の内側面と面一に形成されており、透光部材が２つのパネルの対向面において露出している。そのため、透光部材の露出面により、ドアの外観の美観が損なわれていた。
【０００６】
本発明は斯かる点に鑑みてなされたもので、その目的は、建具の美観を損なわない見栄えのよい採光構造及びそのような採光構造を備えた建具を提供することにある。
【課題を解決するための手段】
【０００７】
上記の目的を達成するために、本発明では、建具の幅方向に並ぶ第１及び第２パネル体と、該第１及び第２パネル体の間に設けられた透光部材とを備える建具の採光構造において、第２パネル体の先端部分を幅方向において第１パネル体に近づく程前後方向の幅が狭くなる先細り形状とすると共に、第１パネル体の第２パネル体と対向する対向端面に形成された凹溝内に設けられる透光部材の露出面を上記対向端面に対して傾斜させることとした。
【０００８】
具体的には、第１の発明は、建具の幅方向に並ぶ第１及び第２パネル体と、該第１及び第２パネル体の間に設けられた透光部材とを備え、前後方向に光を透過させる建具の採光構造を前提とするものである。
【０００９】
そして、第１の発明は、上記第１パネル体は、上記第２パネル体と対向する対向端面に上端から下端に亘る凹溝が形成され、上記第２パネル体は、上記幅方向において上記第１パネル体に対向する一端に近づく程前後方向の中央に近づくように上記幅方向に対して傾斜した前面及び後面を有し、先端面が上記凹溝内に位置するように設けられた先端部分を有し、上記透光部材は、上記凹溝内に収容され、該凹溝の底面と上記先端部分の先端面との間に挟み込まれる平板状の第１透光部分を有し、上記第１透光部分の上記先端部分の先端面と当接しない露出面は、前後方向において上記対向端面に対して傾斜していることを特徴とするものである。
【００１０】
第１の発明では、第２パネル体の先端部分を第１パネル体に対向する一端に近づく程前後方向の幅が先細る先細り形状に形成することで、第１パネル体の第２パネル体に対向する対向端面に形成された凹溝内に設けられる透光部材の第１透光部分の側面の一部が、第２パネル体の先端部分の先端面と当接しない露出面となるように形成されている。また、第１の発明では、第１透光部分は、露出面が、前後方向において上記対向端面に対して傾斜するように設けられている。つまり、第１の発明では、透光部材の第１透光部分の側面の一部を露出させることにより、光を透過可能に構成する一方、第１透光部分の露出面を凹溝内において傾斜させることにより、建具を前側又は後側から視たときに、従来よりも透光部材が見え難くなるようにしている。従って、第１の発明によれば、従来の採光構造よりも外観の意匠性に優れ、建具の美観を損なわない見栄えのよい採光構造を提供することができる。
【００１１】
第２の発明は、第１の発明において、上記第１透光部分の露出面は、前後方向の端部に向かう程、上記第２パネル体から離れるように上記対向端面に対して傾斜していることを特徴とするものである。
【００１２】
第２の発明では、第１透光部分の露出面を、前後方向の端部に向かう程、第２パネル体から離れるように傾斜する傾斜面で構成することにより、第２パネル体の先端部分の前後面よって第１透光部分へ導かれる光を、効率よく取り込むができる。
【００１３】
第３の発明は、第１又は第２の発明において、上記第１パネル体は、矩形状の芯材と、該芯材の外面を覆う複数の化粧材とを有し、上記凹溝は、上記第１パネル体の前後の上記化粧材が、上記芯材の上記第２パネル体と対向する対向端面よりも上記第２パネル体側に突出するように上記芯材に固定されることによって形成されていることを特徴とするものである。
【００１４】
第３の発明では、第１パネル体の芯材に切削加工を行うことなく、第１パネル体に第１透光部分が収容される凹溝を容易に形成することができる。
【００１５】
第４の発明は、第１〜第３のいずれか１つの発明において、上記透光部材は、上記第１及び第２パネル体に架け渡されて上記第１透光部分に交差する第２透光部分を有していることを特徴とするものである。
【００１６】
第４の発明では、透光部材の第１透光部分に入射した光は、該第１透光部分に交差する第２透光部分において反射を繰り返すことにより、減衰することなく透過する。よって、第１透光部分を薄く形成しても効率よく光を透過させることができる。
【００１７】
第５の発明は、第１〜第４のいずれか１つの発明において、上記第２パネル体は、上記先端部分の他端に連続し、上記幅方向において上記先端部分の他端に連続する一端に近づく程前後方向の中央に近づくように上記幅方向に対して上記先端部分の前面及び後面よりも緩やかな傾斜角度で傾斜した前面及び後面を有する傾斜部分を有している。
【００１８】
第５の発明では、第２パネル体に、先細り形状の先端部分に連続し、該先端部分の前後面よりも幅方向に対して緩やかな傾斜角度で傾斜した前後面を有して緩やかに先細る傾斜部分を設けることとしている。このように、先端部分を第２パネル体の扁平な本体部に連続させるのではなく、先端部分よりも緩やかに先細る傾斜部分に連続させることにより、先端部分と該先端部分に連続する部分とがなす角度が大きくなり、角張って見え難くなる。よって、建具の前後面が段差のない平らな形状に見え、従来の採光構造よりも外観の意匠性を向上させることができる。
【００１９】
第６の発明は、第１〜第５のいずれか１つの発明に係る採光構造を備えた建具である。
【００２０】
第６の発明によれば、建具の美観を損なうことのない見栄えのよい採光構造を備えた建具を提供することができる。
【発明の効果】
【００２１】
以上説明した如く、本発明によると、建具の幅方向に並ぶ第１及び第２パネル体と、該第１及び第２パネル体の間に設けられた透光部材とを備える建具の採光構造において、第２パネル体の先端部分を幅方向において第１パネル体に近づく程前後方向の幅が狭くなる先細り形状とすると共に、第１パネル体の第２パネル体と対向する対向端面に形成された凹溝内に設けられる透光部材の露出面を上記対向端面に対して傾斜させることにより、先端部分が第１パネル体の凹溝内に収容されるように構成したため、建具の美観を損なわない見栄えのよい採光構造及びそのような採光構造を備えた建具を提供することができる。
【図面の簡単な説明】
【００２２】
【図１】図１は、本発明の実施形態１のドアの正面図である。
【図２】図２は、図１のII−II線断面図である。
【図３】図３は、本発明の実施形態２の採光構造を拡大して示す横断面図である。
【図４】図４は、本発明の実施形態３の採光構造を拡大して示す横断面図である。
【発明を実施するための形態】
【００２３】
以下、本発明の実施形態を図面に基づいて詳細に説明する。以下の実施形態の説明は、本質的に例示に過ぎず、本発明、その適用物或いはその用途を制限することを意図するものでは全くない。
【００２４】
以下では、本発明に係る採光構造を備えた建具の一例として、採光構造を備えたドアについて説明する。
【００２５】
《発明の実施形態１》
図１に示すように、ドア（建具）１は、建物の例えば間仕切り壁等の開口部に施工される。以下では、説明の便宜上、ドア１によって仕切られる２つの空間の一方側（図１の紙面直行方向の手前側）を「前」、他方側（図１の紙面に直行する方向の奥側）を「後」、図１に示すドア１を前側から見たときの上側、下側、左側、右側を、それぞれ「上」、「下」、「左」、「右」として説明する。また、「幅方向」とは、ドア１の幅方向（左右方向）を意味する。
【００２６】
−ドアの概略構成−
図１に示すように、ドア１は、幅方向に間を空けて設けられた矩形状の第１パネル１０及び第２パネル２０を備えている。
【００２７】
図２に示すように、第１パネル１０及び第２パネル２０は、複数の角材を矩形枠状に組み立てた芯材２と、枠状の芯材２の外面を覆う化粧材３とを有している。第１パネル１０及び第２パネル２０は、芯材２と化粧材３とによって中空の所謂フラッシュパネルに構成されている。また、本実施形態１では、第１パネル１０及び第２パネル２０は、芯材２と化粧材３とが木質材料で形成される木質パネルである。
【００２８】
図１に示すように、左側の第１パネル１０には、上下方向の中程の部分に取手４が取り付けられている。図２に示すように、第２パネル２０は、第１パネル１０の右側に間隔を空けて、前面２０ａ及び後面２０ｂが、それぞれ第１パネル１０の前面１０ａ及び後面１０ｂと面一になるように設けられている。
【００２９】
第１パネル１０及び第２パネル２０の間には、後述する採光構造５の透光部材３０が架け渡されている。また、本実施形態１では、第１パネル１０及び第２パネル２０は、上端面及び下端面にそれぞれ固定された連結部材６によって連結されている。連結部材６は、本実施形態１では、アングルによって構成されている。
【００３０】
−採光構造の構成−
図２に示すように、ドア１は、採光構造５を備えている。採光構造５は、ドア１の一部である第１パネル（第１パネル体）１０及び第２パネル（第２パネル体）２０と、第１パネル１０及び第２パネル２０に架け渡された透光部材３０とを備えている。
【００３１】
第１パネル１０の第２パネル２０との対向端面である右側面（芯材２の右端面）には、幅方向において第２パネル２０とは反対側（左側）に凹む凹溝１１が形成されている。凹溝１１は、第１パネル１０の上端から下端に亘って延びている。凹溝１１は、第１パネル１０の前後の化粧材３，３を、芯材２の第２パネル２０と対向する対向端面（右端面）よりも第２パネル体側（右側）に突出するように芯材２に固定することによって形成されている。凹溝１１は、矩形状の横断面を有している。
【００３２】
また、第１パネル１０（芯材２）の凹溝１１の溝底部分には、幅方向において第２パネル２０とは反対側（左側）にさらに凹む嵌合溝１２が形成されている。嵌合溝１２は、第１パネル１０の上端から下端に亘って延びている。嵌合溝１２は、矩形状の横断面を有している。
【００３３】
第１パネル１０の第２パネル２０との対向端面（芯材２の右端面）には、透光部材３０の後述する第１透光部分３１が当接する部分（凹溝１１以外の部分）に、光を反射する素材によって形成されたテープが貼り付けられている。
【００３４】
第２パネル２０は、先端部分２１と、本体部分２２とを有している。先端部分２１と本体部分２２とは、左側から右側へ幅方向に連続して形成されている。
【００３５】
先端部分２１は、第２パネル２０の第１パネル１０に対向する一端（左端）側の端縁部分であり、幅方向において一端に近づく程前後方向の幅が狭くなる（厚さが薄くなる）先細り形状に形成されている。具体的には、先端部分２１は、幅方向において一端に近づく程前後方向の中央に近づくように幅方向に対して傾斜した前面２１ａ及び後面２１ｂを有し、先細り形状に形成されている。先端部分２１は、先端面（左端面）が第１パネル１０に形成された凹溝１１内に収容されるように設けられている。本実施形態１では、先端部分２１の前後面２１ａ，２１ｂは、幅方向に対して１０〜６０度の角度で傾斜している。
【００３６】
また、先端部分２１は、先端（左端）の前後方向の長さ（厚さ）が、第１パネル１０及び第２パネル２０を連結する連結部材６の前後方向の長さ（幅）よりも大きくなるように形成されている。
【００３７】
第２パネル２０の先端部分２１の先端面（芯材２の左端面）には、透光部材３０の後述する第１透光部分３１が当接する部分（嵌合溝２４以外の部分）に、光を反射する素材によって形成されたテープが貼り付けられている。
【００３８】
本体部分２２は、先端部分２１の他端（右端）に連続する部分であり、扁平な形状に形成されている。つまり、本体部分２２は、幅方向に対して傾斜することなく幅方向に平行な前面２２ａ及び後面２２ｂを有している。
【００３９】
以上のように連続する先端部分２１と本体部分２２とによって構成される第２パネル２０の第１パネル１０との対向端面（芯材２の左端面）には、幅方向において第１パネル１０とは反対側（右側）に凹む嵌合溝２４が形成されている。嵌合溝２４は、第２パネル２０の上端から下端に亘って延びている。嵌合溝２４は、矩形状の横断面を有している。
【００４０】
透光部材３０は、透明な樹脂材料によって形成されている。透光部材３０は、矩形板状の第１透光部分３１と第２透光部分３２とを有している。第１透光部分３１と第２透光部分３２とは交差するように構成されている。なお、本実施形態１では、第１透光部分３１と第２透光部分３２とは、図２に示す平面視において略直交する方向に延び、透光部材３０は、平面視において十字形状に形成されている。また、本実施形態１では、第１透光部分３１と第２透光部分３２とは一体に形成されている。
【００４１】
第１透光部分３１は、凹溝１１内において、凹溝１１の底面１１ａと第２パネル２０の先端部分２１の先端面との間に挟み込まれている。第１透光部分３１は、前後方向及び上下方向に延び、矩形平板状に形成されている。第１透光部分３１の上下方向の長さは、第１パネル１０及び第２パネル２０の上下方向の高さと略等しい長さに形成されている。第１透光部分３１は、凹溝１１から食み出ないように全体が凹溝１１内に収容されている。
【００４２】
第１透光部分３１は、第２パネル２０（先端部分２１）と当接する側面（右側面）において先端部分２１の先端面と当接しない先端部分２１の前後の露出面３１ａ，３１ｂが、第１パネル１０の凹溝１１が形成される第２パネル２０との対向端面（右端面）に対して傾斜している。本実施形態１では、露出面３１ａ，３１ｂは、前後方向の端部に向かう程（前側の露出面３１ａは前側に向かう程、後側の露出面３１ｂは後側に向かう程）、第２パネル２０から離れるように対向端面に対して傾斜している。また、本実施形態１では、露出面３１ａ，３１ｂは、粗し仕上が施されて粗面に形成されている。
【００４３】
第２透光部分３２は、左右方向（ドア１の幅方向）及び上下方向に延び、矩形平板状に形成されている。本実施形態１では、第２透光部分３２は、第１透光部分３１よりも分厚い。第２透光部分３２は、第１及び第２パネル１０，２０に架け渡されている。具体的には、第２透光部分３２は、幅方向において第１パネル１０側の一端が、第１パネル１０の嵌合溝１２に挿入され、第２パネル２０側の他端が、第２パネル２０の嵌合溝２４に挿入された状態で、第１パネル１０及び第２パネル２０に接着剤７を介して固定されている。
【００４４】
−採光構造の作用−
次に、採光構造５の作用について説明する。以下では、一例として、採光構造５が、ドア１の後側から前側に光を透過させる場合について説明する。
【００４５】
ドア１の後側の空間で発せられた光は、ドア１の後面における第１パネル１０と第２パネル２０との間の開口８ｂから、第１パネル１０の凹溝１１内に進入する。凹溝１１内に進入した光は、透光部材３０の第１透光部分３１の後側の露出面３１ｂから第１透光部分３１に入射する。第１透光部分３１に入射した光は、第１透光部分３１の内部で反射しながら前側へ進み、第２透光部分３２で反射を繰り返すことにより、減衰することなく第１透光部分３１においてさらに前側に進み、前側の露出面３１ａから前方に出射する。露出面３１ａから出射した光は、ドア１の前面における第１パネル１０と第２パネル２０との間の開口８ａからドア１の前側の空間に進む。
【００４６】
以上のようにして、採光構造５は、ドア１の後側から前側へ光を透過させる。このとき、ドア１を前側から見た人には、開口８ａの一端部が上端から下端に亘って線状に発光しているように見える。また、本実施形態１では、露出面３１ａ，３１ｂが、粗し仕上によって粗面に形成されているため、ドア１の後側から前側へ透過した光が拡散して見える。これにより、ドア１を前側から見た人には、開口８ａの一端部が線状に柔らかい光を放っているように見える。
【００４７】
−実施形態１の効果−
本実施形態１の採光構造５では、第２パネル２０の先端部分２１を第１パネル１０に対向する一端（左端）に近づく程前後方向の幅が先細る先細り形状に形成することで、第１パネル１０の第２パネル２０に対向する対向端面（右端面）に形成された凹溝１１内に設けられる透光部材３０の第１透光部分３１の側面（右側面）の一部が、第２パネル２０の先端部分２１の先端面に当接しない露出面３１ａ，３１ｂとなるように形成されている。また、本実施形態１の採光構造５では、第１透光部分３１の露出面３１ａ，３１ｂが、前後方向において上記対向端面に対して傾斜するように設けられている。つまり、本実施形態１の採光構造５では、透光部材３０の第１透光部分３１の側面の一部を露出させることにより、光を透過可能に構成する一方、第１透光部分３１の露出面３１ａ，３１ｂを凹溝１１内において傾斜させることにより、ドア１を前側又は後側から視たときに、従来よりも透光部材３０が見え難くなるようにしている。従って、本実施形態１によれば、従来の採光構造５よりも外観の意匠性に優れ、ドア１の美観を損なわない見栄えのよい採光構造５を提供することができる。
【００４８】
また、本実施形態１の採光構造５では、第１透光部分３１の露出面３１ａ，３１ｂは、前後方向の端部に向かう程、第２パネル２０から離れるように第１パネル１０の上記対向端面（右端面）に対して傾斜している。第１透光部分３１の露出面３１ａ，３１ｂをこのような傾斜面で構成することにより、第２パネル２０の先端部分２１の前後面２１ａ，２１ｂによって第１透光部分３１へ導かれる光を、効率よく取り込むができる。
【００４９】
また、本実施形態１の採光構造５では、凹溝１１が、第１パネル１０の前後の化粧材３を、芯材２の第２パネル２０と対向する対向端面（右端面）よりも第２パネル２０側（右側）に突出するように芯材２に固定することによって形成されている。そのため、本実施形態１によれば、第１パネル１０の芯材２に切削加工を行うことなく、第１パネル１０に第１透光部分３１が収容される凹溝１１を容易に形成することができる。
【００５０】
また、本実施形態１の採光構造５では、透光部材３０は、第１及び第２パネル１０，２０に架け渡されて第１透光部分３１に交差する第２透光部分３２を有している。そのため、透光部材３０の第１透光部分３１に入射した光は、該第１透光部分３１に交差する第２透光部分３２において反射を繰り返すことにより、減衰することなく透過する。よって、本実施形態１によれば、第１透光部分３１を薄く形成しても効率よく光を透過させることができる。
【００５１】
また、本実施形態１の採光構造５では、透光部材３０が、第１及び第２パネル１０，２０の嵌合溝１２，２４に架け渡されて接着剤７で固定される第２透光部分３２を有している。そのため、本実施形態１の採光構造５では、透光部材３０を第１透光部分３１のみで形成する場合に比べて透光部材３０を容易に施工することができる。
【００５２】
また、本実施形態１の採光構造５では、第１透光部分３１と第２透光部分３２は、一体に形成されている。そのため、本実施形態１によれば、透光部材３０の取付作業が容易になる。
【００５３】
また、本実施形態１によれば、ドア１の美観を損なうことのない採光構造５を備えた見栄えのよいドア１を提供することができる。
【００５４】
また、本実施形態１によれば、先端部分２１は、先端（左端）の前後方向の長さ（厚さ）が、第１パネル１０及び第２パネル２０を連結する連結部材６の前後方向の長さ（幅）よりも大きくなるように形成されている。第２パネル２０をこのように構成することにより、第１及び第２パネル１０，２０の間を斜めから覗き込んでも、第１及び第２パネル１０，２０の上端面及び下端面を連結するように設けられた連結部材６が見えてしまうことがない。このような構成によっても見栄えのよい採光構造５及び見栄えのよいドア１を提供することができる。
【００５５】
《発明の実施形態２》
図３に示すように、実施形態２は、実施形態１の採光構造５の一部を変更したものである。以下では、実施形態１と異なる部分についてのみ詳細に説明し、実施形態１と同様の構成については、詳細な説明を省略する。
【００５６】
−実施形態１と異なる構成−
実施形態２では、第２パネル２０の先端部分２１が、実施形態１よりも幅広に形成されている。実施形態２では、先端部分２１の前後面２１ａ，２１ｂは、幅方向に対して１０〜４０度の角度で傾斜している。
【００５７】
また、実施形態２では、透光部材３０の第１透光部分３１と第２透光部分３２とが別体に形成されている。さらに、第１透光部分３１は、第２透光部分３２の前側に設けられる前側部分３１Ａと、第２透光部分３２の後側に設けられる後側部分３１Ｂとに細分化されている。
【００５８】
その他の構成は、実施形態１と同様である。
【００５９】
−実施形態２の効果−
実施形態２の採光構造５によっても、実施形態１の採光構造５と同様の効果を奏することができる。そして、実施形態２によっても、実施形態１と同様に、ドア１の美観を損なうことのない見栄えのよい採光構造５及びそのような採光構造５を備えた見栄えのよいドア１を提供することができる。
【００６０】
また、実施形態２の採光構造５では、第１透光部分３１と第２透光部分３２とを別体に構成すると共に、第１透光部分３１をさらに前側部分３１Ａと後側部分３１Ｂとに細分化している。このように第１透光部分３１を２つの部分３１Ａ，３１Ｂで構成することにより、透光部材３０の取付作業が容易になる。
【００６１】
また、実施形態２の採光構造５によれば、第２パネル２０の先端部分２１を実施形態１よりも幅広に形成することにより、光を取り込む開口８ａ，８ｂの幅が実施形態１よりも広くなり、効率よく光を取り込むができる。また、先端部分２１を幅広に形成することにより、先端部分２１の前後面２１ａ，２１ｂの幅方向に対する傾斜角度がより緩やかになるため、ドア１の前後面がより段差のない平らな形状に見える。つまり、本実施形態１の採光構造５によれば、外観の意匠性をより向上させることができる。
【００６２】
《発明の実施形態３》
図４に示すように、実施形態３は、実施形態１の採光構造５の一部を変更したものである。以下では、実施形態１と異なる部分についてのみ詳細に説明し、実施形態１と同様の構成については、詳細な説明を省略する。
【００６３】
−実施形態１と異なる構成−
実施形態３では、第２パネル２０の先端部分２１と本体部分２２との間に、先端部分２１よりも緩やかに先細る傾斜部分２３を設けている。
【００６４】
傾斜部分２３は、先端部分２１の他端（右端）に連続する部分であり、幅方向において先端部分２１側の一端（左端）に近づく程前後方向の幅が狭くなる（厚さが薄くなる）先細り形状に形成されている。具体的には、傾斜部分２３は、幅方向において一端に近づく程前後方向の中央に近づくように幅方向に対して傾斜した前面２３ａ及び後面２３ｂを有し、先細り形状に形成されている。傾斜部分２３は、先端部分２１よりも幅方向（左右方向）の長さが長い。
【００６５】
傾斜部分２３の前面２３ａ及び後面２３ｂは、それぞれ先端部分２１の前面２１ａ及び後面２１ｂよりも緩やかな傾斜角度で幅方向に対して傾斜している。具体的には、傾斜部分２３の前面２３ａ後面２３ｂは、幅方向に対して１０〜２０度の角度で傾斜している。
【００６６】
その他の構成は、実施形態１と同様である。
【００６７】
−実施形態３の効果−
実施形態３の採光構造５によっても、実施形態１の採光構造５と同様の効果を奏することができる。そして、実施形態３によっても、実施形態１と同様に、ドア１の美観を損なうことのない見栄えのよい採光構造５及びそのような採光構造５を備えた見栄えのよいドア１を提供することができる。
【００６８】
また、実施形態３の採光構造５によれば、第２パネル２０に、先細り形状の先端部分２１に連続し、該先端部分２１の前後面２１ａ，２１ｂよりも幅方向に対して緩やかな傾斜角度で傾斜した前後面２３ａ，２３ｂを有して緩やかに先細る傾斜部分２３を設けることとしている。このように、先端部分２１を第２パネル２０の扁平な本体部分２２に連続させるのではなく、先端部分２１よりも緩やかに先細る傾斜部分２３に連続させることにより、先端部分２１と該先端部分２１に連続する部分（本実施形態３では傾斜部分２３、実施形態１では本体部分２２）とがなす角度が大きくなり、角張って見え難くなる。よって、ドア１の前後面が段差のない平らな形状に見え、従来の採光構造５よりも外観の意匠性を向上させることができる。
【００６９】
《その他の実施形態》
上記実施形態１〜３では、本発明に係る建具の一例として、採光構造５を備えたドア１について説明した。しかしながら、本発明に係る建具は、ドア１に限られない。本発明に係る採光構造５は、引戸や吊戸に適用してもよい。つまり、本発明に係る建具は、引戸や吊戸であってもよい。
【００７０】
また、上記実施形態１〜３では、本発明に係る採光構造を構成する２つのパネル体が、ドア（建具）１を構成する第１パネル１０及び第２パネル２０で構成されていたが、本発明に係る採光構造を構成する２つのパネル体は、ドア（建具）１の一部を構成するものであってもよい。
【００７１】
また、上記実施形態１〜３では、透光部材３０は、第１透光部分３１と第２透光部分３２とを備え、十字形状の横断面を有するように構成されていたが、本発明に係る透光部材はこれに限られず、第２透光部分３２を備えないものであってもよい。
【００７２】
また、上記実施形態１〜３では、第１透光部分３１の露出面３１ａ，３１ｂは、前後方向において端部に向かう程、第２パネル２０から離れるように対向端面に対して傾斜していたが、第１透光部分３１の露出面３１ａ，３１ｂの傾斜方向は上述の方向に限られない。例えば、第１透光部分３１の露出面３１ａ，３１ｂは、実施形態１〜３とは逆方向、即ち、前後方向において端部に向かう程、第２パネル２０に近づくように対向端面に対して傾斜していてもよい。なお、この場合においても、第１透光部分３１は、凹溝１１から食み出ないように全体が凹溝１１内に収容されているものとする。
【００７３】
また、上記実施形態１〜３では、露出面３１ａ，３１ｂは、粗し仕上が施されて粗面に形成されていたが、露出面３１ａ，３１ｂの仕上は粗し仕上に限られない。例えば、露出面３１ａ，３１ｂには、磨き仕上が施されていてもよい。露出面３１ａ，３１ｂに磨き仕上が施された場合、透光構造５を介してドア１を透過した光は、実施形態１〜３のように拡散して見えず、各開口８ａ，８ｂからまっすぐに進むように見える。これにより、ドア１を前側から見た人には、各開口８ａ，８ｂから直線的な光が放たれているように見える。
【産業上の利用可能性】
【００７４】
本発明は、建具の採光構造及び採光構造を備えた建具に有用である。
【符号の説明】
【００７５】
１      ドア（建具）
２      芯材
３      化粧材
５      採光構造
１０      第１パネル（第１パネル体）
１１      凹溝
１１ａ    底面
２０      第２パネル（第２パネル体）
２１      先端部分
２１ａ    前面
２１ｂ    後面
２３      傾斜部分
２３ａ    前面
２３ｂ    後面
３０      透光部材
３１      第１透光部分
３１Ａ    前側部分
３１Ｂ    後側部分
３１ａ    露出面
３１ｂ    露出面
３２      第２透光部分
【要約】
【課題】建具の美観を損なわない見栄えのよい採光構造及びそのような採光構造を備えた建具を提供する。
【解決手段】採光構造５は、第１及び第２パネル１０，２０と透光部材３０とを備えている。第１パネル１０の第２パネル２０と対向する対向端面には、上端から下端に亘る凹溝１１が形成され、第２パネル２０は、幅方向において第１パネル１０に対向する一端に近づく程前後方向の幅が先細る先端部分２１を有している。透光部材３０は、凹溝１１の底面１１ａと先端部分２１の先端面との間に挟み込まれる平板状の第１透光部分３１を有し、該第１透光部分３１の第２パネル２０の先端部分２１の先端面と当接しない露出面３１ａ，３１ｂが、前後方向において上記対向端面に対して傾斜している。
【選択図】図２【図１】
0006963078.tif 000002
【図２】
0006963078.tif 000003
【図３】
0006963078.tif 000004
【図４】
0006963078.tif 000005